(57)【特許請求の範囲】
【請求項１】
車室の屋根をなすルーフパネルの下方且つ車幅外側端部にルーフサイドレールを配置し、該ルーフサイドレールに連ねてピラーを形成し、前記ルーフサイドレール若しくは前記ピラーに車幅方向両端が接合されるルーフアーチ部材を配置し、前記ルーフサイドレール、前記ピラー及び前記ルーフアーチ部材を接合した交差部にルーフパネルが接合されている車両上部構造において、
前記ルーフサイドレール及び前記ピラーのうち少なくとも一方は、車室側のインナー部材と、該インナー部材の車室外側に配置されて前記インナー部材に接合される補強パネルと、前記インナー部材と前記補強パネルとの間に配置される補強ブラケットと、を備え、
前記補強ブラケットは、一対の脚部及び該一対の脚部に連なる上部受け部を有する断面コ字形状に形成され、
前記脚部は、前記交差部に配置された前記インナー部材に接合され、
前記上部受け部は、前記補強パネルの車室内側の内面に接合され、
前記補強パネルは、前記補強ブラケットの前記上部受け部に接合される部位に、前記補強パネルの車室外側に配置されているアウター部が接合されていることを特徴とする車両上部構造。
【請求項２】
前記補強ブラケットは、前記上部受け部の車両前後方向の端部から下方に延びて車両前後方向に対向する一対の脚部と、前記一対の脚部のうち前方側の脚部の下端から前方側に所定幅延出し且つ車幅方向に延在する第１ステー部と、後方側の脚部の下端から後方側に所定幅延出し且つ車幅方向に延在する第２ステー部と、を備えることを特徴とする請求項１に記載の車両上部構造。
【請求項３】
前記補強ブラケットは、前記ルーフアーチ部材及び前記アウター部が接合される車幅中央側の端部が、前記インナー部材の車幅中央側のフランジに重ねて接合され、
前記補強パネルは、前記補強ブラケットの前記上部受け部及び前記端部に重ねて接合されるとともに、
前記第１及び第２ステー部は、車幅方向外側の一端に前記インナー部材に接合される溶接フランジをそれぞれ備えるとともに、車幅方向内側のそれぞれの他端が前記端部を支持することを特徴とする請求項２に記載の車両上部構造。
【請求項４】
前記補強パネルは、前記補強ブラケットの前記上部受け部に接合される部位よりも車幅中央側の部位に、前記ルーフアーチ部材の車幅外側に形成された溶接フランジ部が接合され、
前記補強ブラケットは、前記上部受け部の車幅外側の端部及び車幅中央側の端部からそれぞれ下方に延びて車幅方向に対向する一対の脚部を備えるとともに、
前記車幅方向に対向する一対の脚部のうち、車幅外側の脚部が、前記補強パネルが接合される部位の近傍に配置され、車幅中央側の脚部が、前記ルーフアーチ部材の前記溶接フランジ部が接合される部位の近傍に配置されることを特徴とする請求項１に記載の車両上部構造。
【発明の詳細な説明】
【技術分野】
【０００１】
本発明は、車室の屋根をなすルーフに用いられた車両上部構造に関するものである。
【背景技術】
【０００２】
車両の屋根をなすルーフは、一般的に、骨組みに薄板を成形したルーフパネルが取付けられている（例えば、特許文献１参照。）。
【特許文献１】特開２００５−１５３６４９公報（第１２頁、図３）
【０００３】
特許文献１を次図に基づいて説明する。
図１３は、従来の技術を説明する図であり、従来の自動車のルーフ廻り構造２０１は、サイドルーフレール２０２にセンタルーフレール２０３を溶接するために、孔２０４が開けられ、ルーフパネル２０５を溶接するために、孔２０６が開けられ、閉断面構造のセンタルーフレール２０３をスポット溶接することで、側方衝突に対する車体強度の向上を図ることができるというものである。
【０００４】
しかし、特許文献１のルーフ廻り構造２０１では、スポット溶接に用いる電極を通す孔２０４、２０６を開けているので、強度は低下するという問題がある。
【発明の開示】
【発明が解決しようとする課題】
【０００５】
本発明は、強度を向上させ、溶接の安定化を図り、溶接位置のばらつきを小さくした車両上部構造を提供することを課題とする。
【課題を解決するための手段】
【０００６】
請求項１に係る発明は、車室の屋根をなすルーフパネルの下方且つ車幅外側端部にルーフサイドレールを配置し、ルーフサイドレールに連ねてピラーを形成し、ルーフサイドレール若しくはピラーに車幅方向両端が接合されるルーフアーチ部材を配置し、ルーフサイドレール、ピラー及びルーフアーチ部材を接合した交差部にルーフパネルが接合されている車両上部構造において、ルーフサイドレール及びピラーのうち少なくとも一方に、車室側のインナー部材と、インナー部材の車室外側に配置されてインナー部材に接合される補強パネルと、インナー部材と補強パネルとの間に配置される補強ブラケットと、を備え、補強ブラケットが、一対の脚部及び一対の脚部に連なる上部受け部を有する断面コ字形状に形成され、脚部が、交差部に配置されたインナー部材に接合され、上部受け部が、補強パネルの車室内側の内面に接合され、補強パネルが、補強ブラケットの上部受け部に接合される部位に、補強パネルの車室外側に配置されているアウター部が接合されていることを特徴とする。
請求項２に係る発明は、補強ブラケットに、上部受け部の車両前後方向の端部から下方に延びて車両前後方向に対向する一対の脚部と、一対の脚部のうち前方側の脚部の下端から前方側に所定幅延出し且つ車幅方向に延在する第１ステー部と、後方側の脚部の下端から後方側に所定幅延出し且つ車幅方向に延在する第２ステー部と、を備えることを特徴とする。
請求項３に係る発明は、補強ブラケットのルーフアーチ部材及びアウター部が接合される車幅中央側の端部が、インナー部材の車幅中央側のフランジに重ねて接合され、補強パネルが、補強ブラケットの上部受け部及び端部に重ねて接合されるとともに、第１及び第２ステー部が、車幅方向外側の一端にインナー部材に接合される溶接フランジをそれぞれ備えるとともに、車幅方向内側のそれぞれの他端が端部を支持することを特徴とする。
請求項４に係る発明は、補強パネルが、補強ブラケットの上部受け部に接合される部位よりも車幅中央側の部位に、ルーフアーチ部材の車幅外側に形成された溶接フランジ部が接合され、補強ブラケットに、上部受け部の車幅外側の端部及び車幅中央側の端部からそれぞれ下方に延びて車幅方向に対向する一対の脚部を備えるとともに、車幅方向に対向する一対の脚部のうち、車幅外側の脚部が、補強パネルが接合される部位の近傍に配置され、車幅中央側の脚部が、ルーフアーチ部材の溶接フランジ部が接合される部位の近傍に配置されることを特徴とする。
【発明の効果】
【０００７】
請求項１に係る発明では、補強ブラケットが、一対の脚部及び一対の脚部に連なる上部受け部を有する断面コ字形状に形成され、脚部が、交差部に配置されたインナー部材に接合され、上部受け部が、補強パネルの車室内側の内面に接合され、補強パネルが、補強ブラケットの上部受け部に接合される部位に、補強パネルの車室外側に配置されているアウター部が接合されているので、アウター部の溶接フランジ部にルーフパネルの縁溶接フランジ部を重ね、縁溶接フランジ部をスポット溶接で接合する際に、スポット溶接として片側の電極を押圧するものを採用し、両電極で挟まない場合、片側の電極で縁溶接フランジ部を押すと、電極のほぼ真下に位置している補強ブラケットの第１脚部及び第２脚部によって縁溶接フランジ部が支持され、縁溶接フランジ部並びに溶接用フランジの変形を防止することができる。従って、車両上部構造の強度を向上させることができるという利点がある。
【０００８】
さらに、請求項１では、第１の縦壁及び第２の縦壁によって、変形を防止するので、電極やフランジ同士をより確実に密着させた状態で溶接することができ、溶接の安定化を図ることができるとともに、溶接位置のばらつきを小さくすることができるという利点がある。
請求項２に係る発明では、補強ブラケットに、上部受け部の車両前後方向の端部から下方に延びて車両前後方向に対向する一対の脚部と、一対の脚部のうち前方側の脚部の下端から前方側に所定幅延出し且つ車幅方向に延在する第１ステー部と、後方側の脚部の下端から後方側に所定幅延出し且つ車幅方向に延在する第２ステー部と、を備える。
請求項３に係る発明では、補強ブラケットのルーフアーチ部材及びアウター部が接合される車幅中央側の端部が、インナー部材の車幅中央側のフランジに重ねて接合され、補強パネルが、補強ブラケットの上部受け部及び端部に重ねて接合されるとともに、第１及び第２ステー部が、車幅方向外側の一端にインナー部材に接合される溶接フランジをそれぞれ備えるとともに、車幅方向内側のそれぞれの他端が端部を支持する。
請求項４に係る発明では、補強パネルが、補強ブラケットの上部受け部に接合される部位よりも車幅中央側の部位に、ルーフアーチ部材の車幅外側に形成された溶接フランジ部が接合され、補強ブラケットに、上部受け部の車幅外側の端部及び車幅中央側の端部からそれぞれ下方に延びて車幅方向に対向する一対の脚部を備えるとともに、車幅方向に対向する一対の脚部のうち、車幅外側の脚部が、補強パネルが接合される部位の近傍に配置され、車幅中央側の脚部が、ルーフアーチ部材の溶接フランジ部が接合される部位の近傍に配置される。
【発明を実施するための最良の形態】
【０００９】
本発明を実施するための最良の形態を添付図に基づいて以下に説明する。
図１は、本発明の車両上部構造（第１実施の形態）を採用したルーフの斜視図である。
図２は、本発明の車両上部構造（第１実施の形態）を採用したルーフの分解図である。
【００１０】
車両上部構造（第１実施の形態）１１は、車両１２のルーフ１３に採用されたもので、ルーフ１３の左のルーフサイドレール１４及び右のルーフサイドレール１５にルーフアーチ部材であるところのルーフフロントレール２１を取付けたものである。具体的には後述する。
【００１１】
車両１２は、車室２３や車体２４を有し、車体２４は車室２３の側壁をなす左のサイドボデー２６と、右のサイドボデー２７と、車室２３の屋根をなすルーフ１３と、を備え、車両１２の幅方向（Ｘ軸方向）の中心軸線Ｃを基準に左右がほぼ対称である。以降、左を主体に説明する。
【００１２】
左のサイドボデー２６は、フロントピラー３１と、センタピラー３２と、左のルーフサイドレール１４に含まれるアウター部３３と、左のルーフサイドレール１４に連なる支柱であるところのリヤピラー３４と、を有する。
【００１３】
ルーフ１３は、ルーフパネル３６と、左のルーフサイドレール１４と、右のルーフサイドレール１５と、ルーフアーチ部材に含まれるルーフフロントレール２１と、ルーフアーチ部材に含まれるルーフボウ３７と、ルーフアーチ部材に含まれるルーフリヤレール３８と、を備えている。
【００１４】
そして、左のルーフサイドレール１４にルーフフロントレール２１の端部であるところの第１左端部（一端部）４１を接合し、右のルーフサイドレール１５にルーフフロントレール２１の端部であるところの第１右端部（他端部）４２を接合している。
【００１５】
また、左のルーフサイドレール１４にルーフボウ３７の端部であるところの第２左端部（一端部）４３を接合し、右のルーフサイドレール１５にルーフボウ３７の端部であるところの第２右端部（他端部）４４を接合した。
【００１６】
さらに、左のルーフサイドレール１４にルーフリヤレール３８の端部であるところの第３左端部（一端部）４５を接合し、右のルーフサイドレール１５にルーフリヤレール３８の端部であるところの第３右端部（他端部）４６を接合したものである。
【００１７】
また、ルーフリヤレール３８の第３左端部（一端部）４５と左のルーフサイドレール１４の後端部１１１とリヤピラー３４の上部１１２とを接合することで、これら３部材が接合した交差部４８が形成されている。
【００１８】
ルーフフロントレール２１は、第１インナー溝形部材５１に第１アウター溝形部材５２を接合している。
ルーフボウ３７は、第２インナー溝形部材５３に第２アウター溝形部材５４が接合されている。
ルーフリヤレール３８は、第３インナー溝形部材５５に第３アウター溝形部材５６が接合されたものである。
【００１９】
図３は、図１の３−３線断面図（第１実施の形態）であり、ルーフリヤレール３８と左のルーフサイドレール１４の接合の詳細図である。
ルーフリヤレール３８の第３左端部（一端部）４５には、溶接フランジ部１１４が形成されている。
左のルーフサイドレール１４は、アウター部３３と、補強パネルであるところのアウター部材６４と、アウター部材６４の溶接フランジ部１１５と、を備えている。そして、溶接フランジ部１１５の内面に補強ブラケット１１８が接続している。
【００２０】
リヤピラー３４は、リヤピラーインナー部材１２１を有し、リヤピラーインナー部材１２１の上部１２２の外面１２３に補強ブラケット１１８の第１脚部１２５及び第２脚部１２６が接続している。
【００２１】
補強ブラケット１１８は、前述したリヤピラーインナー部材１２１の上部１２２の外面１２３に接続している第１脚部１２５及び第２脚部１２６が形成され、第１脚部１２５及び第２脚部１２６に連なり上部受け部１２７が形成され、上部受け部１２７の上面にアウター部材６４の内面が接合し、第１脚部１２５に連ねて溶接フランジ部１２８がリヤピラーインナー部材１２１に接合するように形成され、第２脚部１２６に連ねて溶接フランジ部１３１がリヤピラーインナー部材１２１に接合するように形成されている。
【００２２】
第１脚部１２５及び第２脚部１２６はともに、板の面１３２が左のルーフサイドレール１４に沿って配置されている。言い換えると、第１脚部１２５及び第２脚部１２６はともに、板の面１３２が車両１２の車幅方向（Ｘ軸方向）へ向いている。
【００２３】
次に、本発明の車両上部構造（第１実施の形態）の作用を説明する。
まず、図２に示している左のルーフサイドレール１４にルーフリヤレール３８をスポット溶接で溶接する。
ここで、スポット溶接は、薄板鋼板を重ね合わせたところに片側の電極を所定の加圧力で押し付けて通電するスポット溶接とする。つまり、両電極に所定の加圧力を加えて両電極で挟まない。
【００２４】
図４は、本発明の車両上部構造（第１実施の形態）のルーフアーチ部材（ルーフリヤレール）との関係を説明する断面図である。図２を併用して説明する。
すなわち、左のルーフサイドレール１４のアウター部材６４の溶接フランジ部１１５にルーフリヤレール３８の第３左端部（一端部）４５に形成した溶接フランジ部１１４を重ね、溶接フランジ部１１４に溶接用の一方の電極１３５を所定の押し付け力Ｆｗで押し付け、他方のアース電極（図に示していない）を車体に接続する。
なお、他方のアース電極とは、電極１３５とでスポット溶接する部位を挟まない電極である。
【００２５】
電極１３５を押し付けた力は、電極１３５のほぼ真下に配置されている第１脚部１２５にほぼ直接矢印ａ１のように伝わるので、左のルーフサイドレール１４のアウター部材６４の溶接フランジ部１１５及びルーフリヤレール３８の溶接フランジ部１１４の下方（矢印ｂ１の方向）への変形を防止することができる。従って、車両上部構造１１の強度を向上させることができる。
【００２６】
図５は、本発明の車両上部構造（第１実施の形態）のルーフパネルとの関係を説明する断面図である。
図２に示している左のルーフサイドレール１４にルーフパネル３６をスポット溶接で溶接する。
【００２７】
すなわち、左のルーフサイドレール１４の後端部１１１では、左のルーフサイドレール１４の後端部１１１、ルーフリヤレール３８の第３左端部（一端部）４５及びリヤピラー３４の上部１１２とを接合することで、これら３部材が接合した交差部４８が形成され、交差部４８にルーフパネル３６の縁溶接フランジ部１３７を重ね、具体的にはアウター部３３の溶接フランジ部１３８にルーフパネル３６の縁溶接フランジ部１３７を重ね、縁溶接フランジ部１３７に溶接用の一方の電極１３５を所定の押し付け力Ｆｗで押し付け、他方のアース電極を車体に接続する。
【００２８】
電極を押し付けた力は、電極のほぼ真下に配置されている第２脚部１２６にほぼ直接矢印ａ２のように伝わるので、左のルーフサイドレール１４のアウター部材６４の溶接フランジ部１１５、アウター部３３の溶接フランジ部１３８及びルーフパネル３６の縁溶接フランジ部１３７の下方（矢印ｂ１の方向）への変形を防止することができる。従って、車両上部構造１１の強度を向上させることができる。
【００２９】
また、車両上部構造１１では、第１脚部１２５及び第２脚部１２６によって、変形を防止するので、電極やフランジ同士をより確実に密着させた状態で溶接することができ、溶接の安定化を図ることができるとともに、溶接位置のばらつきを小さくすることができる。
【００３０】
車両上部構造１１では、第１脚部１２５及び第２脚部１２６によって、電極以外の力も分散するので、車体の強度を高めることができる。例えば、走行に伴うサスペンションから加わる力やルーフ１３に外方から加わる力を分散することができ、車体の強度を高めることができる。
【００３１】
次に、本発明の車両上部構造の別の実施の形態を説明する。上記図１〜図３に示す実施の形態と同様の構成については、同一符号を付し説明を省略する。
図６は、第２実施の形態を採用したルーフの斜視図である。
図７は、第２実施の形態を採用したルーフの分解図である。
図８は、図７の８部詳細図（第２実施の形態）であり、補強ブラケット１１８Ｂを示している。
【００３２】
ここでは、左のルーフサイドレール１４と左のリヤピラー３４との境界は、ルーフリヤレール３８を接合している部位とするが、境界付近ではリヤピラー３４に補強ブラケット１１８Ｂを接合した状態で説明した。車両のデザインなどの条件によっては、補強ブラケット１１８Ｂの接合している部位をリヤピラーに含めてもよく、ルーフサイドレールに含めてもよい。
【００３３】
第２実施の形態の車両上部構造１１Ｂは、左のルーフサイドレール１４、リヤピラー３４及びルーフリヤレール３８に接合した補強ブラケット１１８Ｂを備えていることを特徴とする。
【００３４】
具体的には、ルーフリヤレール３８の第３左端部（一端部）４５と左のルーフサイドレール１４の後端部１１１とリヤピラー３４の上部１１２とを接合することで、これら３部材が接合した交差部４８Ｂが形成され、交差部４８Ｂの一部をなしているリヤピラーインナー部材１２１Ｂの上部１２２の外面１２３に補強ブラケット１１８Ｂの第１脚部１２５Ｂ及び第２脚部１２６Ｂが接続している。
次に、補強ブラケット１１８Ｂを説明する。
【００３５】
図９は、図６の９−９線断面図（第２実施の形態）であり、補強ブラケット１１８Ｂの第１脚部１２５Ｂの直前で切断した状態を示している。
図１０は、図６の１０−１０線断面図（第２実施の形態）であり、補強ブラケット１１８Ｂの上部受け部１２７Ｂの中央を切断して示している。図８を併用して説明する。
【００３６】
補強ブラケット１１８Ｂは、前述したリヤピラーインナー部材１２１Ｂの上部１２２の外面１２３に接続している第１脚部１２５Ｂ及び第２脚部１２６Ｂが形成され、第１脚部１２５Ｂ及び第２脚部１２６Ｂに連なり上部受け部１２７Ｂが形成され、上部受け部１２７Ｂの上面にアウター部材６４の内面が接合し、第１脚部１２５Ｂに連ねて第１溶接フランジ部１２８Ｂがリヤピラーインナー部材１２１Ｂに接合するように形成され、第２脚部１２６Ｂに連ねて第２溶接フランジ部１３１Ｂがリヤピラーインナー部材１２１Ｂに接合するように形成されている。
【００３７】
そして、第１脚部１２５Ｂに直交するように連ねて第１ステー部１４１が形成され、第１ステー部１４１に一体に第１溶接フランジ部１２８Ｂが設けられ、第２脚部１２６Ｂに直交するように連ねて第２ステー部１４２が形成され、第２ステー部１４２に一体に第２溶接フランジ部１３１Ｂが設けられている。
【００３８】
第１脚部１２５Ｂ及び第２脚部１２６Ｂはともに、板の面１３２Ｂがルーフリヤレール３８の長手方向（Ｘ軸方向）に沿って配置されている。言い換えると、第１脚部１２５Ｂ及び第２脚部１２６Ｂはともに、板の面１３２Ｂが車両１２の前後方向（Ｙ軸方向）へ向いている。
【００３９】
また、補強ブラケット１１８Ｂは、リヤピラー３４のリヤピラーインナー部材１２１Ｂの接合フランジ１４４に上部受け部１２７Ｂの端部１４５が重ねて接合され、上部受け部１２７Ｂにアウター部材６４が重ねて接合され、リヤピラー３４若しくは左のルーフサイドレール１４とアウター部材６４とで形成されている空間に第１ステー部１４１及び第２ステー部１４２が配置されているとともに、アウター部材６４を裏から支持している。
【００４０】
なお、補強ブラケット１１８Ｂの上部受け部１２７Ｂに左のルーフサイドレール１４を延ばしたアウター部材（補強パネル）６４を接合しているが、アウター部材６４を接合しないで、リヤピラー３４の上部１１２のアウター部材（補強パネル）を接合してもよい。
また、アウター部３３を配置しないで、リヤピラー３４の上部１１２のアウター部を配置してもよい。
【００４１】
次に、第２実施の形態の作用を説明する。
図１１は、第２実施の形態のルーフパネルの接合を説明する断面図である。
まず、図７に示している左のルーフサイドレール１４にルーフパネル３６をスポット溶接で溶接する。
【００４２】
具体的には、左のルーフサイドレール１４には、予め補強ブラケット１１８Ｂ、アウター部材６４及びアウター部３３が重ねて接合された４層ルーフパネル接合部１４７が形成され、４層ルーフパネル接合部１４７にルーフパネル３６の縁溶接フランジ部１３７を重ね、具体的にはアウター部３３の溶接フランジ部１３８にルーフパネル３６の縁溶接フランジ部１３７を重ね、縁溶接フランジ部１３７に溶接用の電極１３５を所定の押し付け力Ｆｗで押し付け、他方のアース電極を車体に接続する。
【００４３】
図１２は、第２実施の形態のルーフパネルの接合を説明する斜視図である。図１１を併用して説明する。
電極を押し付けた力は、電極１３５のほぼ真下に配置されている補強ブラケット１１８Ｂに伝わるので、強度は高まる。
具体的には、電極１３５を加圧する力は、ほぼ真下に配置されている第１ステー部１４１並びに第２ステー部１４２に矢印ａ３、矢印ａ４のように伝わり、また、上部受け部１２７Ｂに矢印ａ５のように伝わり、第１脚部１２５Ｂ、第２脚部１２６Ｂに矢印ａ６のように伝わるので、リヤピラー３４の上部１１２、アウター部３３及びルーフパネル３６の縁溶接フランジ部１３７の下方（矢印ｂ１の方向）への変形を防止することができる。従って、車両上部構造１１Ｂの強度を向上させることができる。
【００４４】
また、車両上部構造１１Ｂでは、第１脚部１２５Ｂ及び第２脚部１２６Ｂによって、変形を防止するので、電極や補強ブラケット１１８Ｂに重ねたルーフパネル３６などの薄板同士をより確実に密着させた状態で溶接することができ、溶接の安定化を図ることができるとともに、溶接位置のばらつきを小さくすることができる。
【００４５】
車両上部構造１１Ｂでは、第１脚部１２５Ｂ及び第２脚部１２６Ｂによって、電極以外の力も分散するので、車体の強度を高めることができる。例えば、走行に伴うサスペンションから加わる力やルーフ１３に外方から加わる力を分散することができ、車体の強度を高めることができる。
【００４６】
その上、車両上部構造１１Ｂでは、図９、図１０に示しているように、予め、下向き溶接で、アウター部材６４の内面に補強ブラケット１１８Ｂを溶接する際に、補強ブラケット１１８Ｂを矢印ｃ１のように仮置き（セット）した時に、アウター部材６４の内面に上部受け部１２７Ｂが矢印ｃ２のように当接するので、補強ブラケット１１８Ｂの位置決めを行うことができるとともに、補強ブラケット１１８Ｂの回動（矢印ｃ３の方向）を防止することができる。
【００４７】
加えて、上部受け部１２７Ｂがアウター部材６４にスポット溶接の溶接部Ｗｓで結合しているので、車両上部構造１１Ｂの強度を向上させることができる。
【産業上の利用可能性】
【００４８】
本発明の車両上部構造は、車室の屋根をなすルーフに好適である。
【図面の簡単な説明】
【００４９】
【図１】本発明の車両上部構造（第１実施の形態）を採用したルーフの斜視図である。
【図２】本発明の車両上部構造（第１実施の形態）を採用したルーフの分解図である。
【図３】図１の３−３線断面図（第１実施の形態）である。
【図４】本発明の車両上部構造（第１実施の形態）のルーフアーチ部材（ルーフリヤレール）との関係を説明する断面図である。
【図５】本発明の車両上部構造（第１実施の形態）のルーフパネルとの関係を説明する断面図である。
【図６】第２実施の形態を採用したルーフの斜視図である。
【図７】第２実施の形態を採用したルーフの分解図である。
【図８】図７の８部詳細図（第２実施の形態）である。
【図９】図６の９−９線断面図（第２実施の形態）である。
【図１０】図６の１０−１０線断面図（第２実施の形態）である。
【図１１】第２実施の形態のルーフパネルの接合を説明する断面図である。
【図１２】第２実施の形態のルーフパネルの接合を説明する斜視図である。
【図１３】従来の技術を説明する図である。
【符号の説明】
【００５０】
１１…車両上部構造、１３…ルーフ、１４…左のルーフサイドレール、１５…右のルーフサイドレール、２３…車室、３４…支柱（リヤピラー）、３６…ルーフパネル、３８…ルーフアーチ部材（ルーフリヤレール）、４８…交差部、６４…補強パネル（アウター部材）、１１８…補強ブラケット、１２１…リヤピラーインナー部材、１２５…第１脚部、１２６…第２脚部、１２７…上部受け部。
【図１】
0005046783.tif 000002
【図２】
0005046783.tif 000003
【図３】
0005046783.tif 000004
【図４】
0005046783.tif 000005
【図５】
0005046783.tif 000006
【図６】
0005046783.tif 000007
【図７】
0005046783.tif 000008
【図８】
0005046783.tif 000009
【図９】
0005046783.tif 000010
【図１０】
0005046783.tif 000011
【図１１】
0005046783.tif 000012
【図１２】
0005046783.tif 000013
【図１３】
0005046783.tif 000014